【手続補正書】
【提出日】令和2年2月4日(2020.2.4)
【手続補正１】
【補正対象書類名】明細書
【補正対象項目名】発明の名称
【補正方法】変更
【補正の内容】
【発明の名称】表示制御装置及びその制御方法
【手続補正２】
【補正対象書類名】特許請求の範囲
【補正対象項目名】全文
【補正方法】変更
【補正の内容】
【特許請求の範囲】
【請求項１】
位置の入力操作を検出する検出手段と、
前記検出手段で検出される入力操作による入力位置の移動量に応じて表示部に表示する画像を切り替えるように制御する制御手段であって、
第１の画像が前記表示部に表示されている場合に、入力操作による位置入力が第１の位置から開始され、該入力操作による入力位置が第１の方向に第１の量移動された場合は、前記表示部に表示する画像を第２の画像に切り替え、
前記第１の画像が前記表示部に表示されている場合に、入力操作による位置入力が前記第１の位置から開始され、該入力操作による入力位置が前記第１の方向に前記第１の量よりも大きい第２の量移動された場合は、前記表示部に表示する画像を前記第２の画像よりも先の第３の画像に切り替え、
前記第３の画像が表示された状態から、前記第３の画像を表示させる要因となった前記第１の位置から開始されて前記第２の量移動した前記入力操作が解除されることなく前記第１の位置へと入力位置が移動されたことに応じて、前記表示部に表示する画像を前記第１の画像に切り替え、
前記第３の画像に切り替えられた状態から、前記第３の画像に切り替える要因となった前記第１の位置から開始されて前記第２の量移動した前記入力操作が解除されることなく、前記入力操作により所定の条件を満たす位置入力がされた場合には、前記第１の位置から前記第１の量の範囲の外で前記入力操作が解除されても、前記表示部に表示する画像を前記第１の画像に切り替えるように制御する制御手段とを有することを特徴とする表示制御装置。
【請求項２】
位置の入力操作を検出する検出手段と、
前記検出手段で検出される入力操作による入力位置の移動量に応じて、表示部に表示する画像を、移動量が増えるほど大きく離れた順の画像に切り替えるように制御する制御手段であって、
第１の画像が前記表示部に表示されている場合に、入力操作による位置入力が第１の位置から開始され、該入力操作による入力位置が、最小切替単位の画像切り替えを行うために必要な移動量よりも大きい第２の量移動された場合は、前記表示部に表示する画像を前記第１の画像から前記第２の量に応じた、最小切替単位よりも先の第３の画像に切り替え、
前記第３の画像が表示された状態から、前記第３の画像を表示させる要因となった前記第１の位置から開始されて前記第２の量移動した前記入力操作が解除されることなく前記第１の位置へと入力位置が移動されたことに応じて前記表示部に表示する画像を前記第１の画像に切り替え、
前記第３の画像に切り替えられた状態から、前記第３の画像に切り替える要因となった前記第１の位置から開始されて前記第２の量移動した前記入力操作が解除されることなく、前記入力操作により所定の条件を満たす位置入力がされた場合は、前記第１の位置から最小切替単位の画像切り替えを行うために必要な移動量の範囲の外で前記入力操作が解除されても、前記表示部に表示する画像を前記第１の画像に切り替えるように制御する制御手段とを有することを特徴とする表示制御装置。
【請求項３】
位置の入力操作を検出する検出手段と、
前記検出手段で検出される入力操作による入力位置の移動量に応じて表示部に表示する画像を切り替えるように制御する制御手段であって、
第１の画像が前記表示部に表示されている場合に、入力操作による位置入力が第１の位置から開始され、該入力操作による入力位置が第１の方向に第１の量移動された場合は、前記表示部に表示する画像を第２の画像に切り替え、
前記第１の画像が前記表示部に表示されている場合に、入力操作による位置入力が前記第１の位置から開始され、該入力操作による入力位置が前記第１の方向に前記第１の量よりも大きい第２の量移動された場合は、前記表示部に表示する画像を前記第２の画像よりも先の第３の画像に切り替え、
前記第３の画像が表示された状態において、前記第３の画像を表示させる要因となった前記第１の位置から開始された前記入力操作による所定の操作に応じて、前記表示部に所定のアイテムを表示し、
前記第３の画像と前記所定のアイテムが表示された状態において、前記所定のアイテムが選択されたことに応じて、前記表示部に表示する画像を前記第３の画像から前記第１の画像へと切り替えるように制御する制御手段とを有することを特徴とする表示制御装置。
【請求項４】
位置の入力操作を検出する検出手段と、
前記検出手段で検出される入力操作による入力位置の移動量に応じて、表示部に表示する画像を、移動量が増えるほど大きく離れた順の画像に切り替えるように制御する制御手段であって、
第１の画像が前記表示部に表示されている場合に、入力操作による位置入力が第１の位置から開始され、該入力操作による入力位置が、第１の方向に、最小切替単位の画像切り替えを行うために必要な移動量よりも大きい第２の量移動された場合は、前記表示部に表示する画像を前記第１の画像から前記第２の量に応じた、最小切替単位よりも先の第３の画像に切り替え、
前記第３の画像が表示された状態において、前記第３の画像を表示させる要因となった前記第１の位置から開始された前記入力操作による所定の操作に応じて、前記表示部に所定のアイテムを表示し、
前記第３の画像と前記所定のアイテムが表示された状態において、前記所定のアイテムが選択されたことに応じて、前記表示部に表示する画像を前記第３の画像から前記第１の画像へと切り替えるように制御する制御手段と
を有することを特徴とする表示制御装置。
【請求項５】
前記検出手段は、操作面への前記入力操作を検出することを特徴とする請求項１乃至４のいずれか１項に記載の表示制御装置。
【請求項６】
前記制御手段は、前記第３の画像が表示された状態において、前記第３の画像を表示させる要因となった前記第１の位置から開始されて前記第２の量移動した前記入力操作が解除されることなく前記第１の位置へと入力位置が移動されたことに応じて、前記表示部に前記第１の画像を表示するように制御することを特徴とする請求項３または４に記載の表示制御装置。
【請求項７】
前記所定の操作は、前記入力操作の解除であり、
前記制御手段は、前記所定のアイテムを、前記第３の画像が表示された状態において入力操作が解除されたことに応じて表示し、所定の期間が経過したことに応じて非表示にするように制御することを特徴とする請求項３または４に記載の表示制御装置。
【請求項８】
前記所定のアイテムは、前記第１の画像を示すサムネイル画像であることを特徴とする請求項３または４に記載の表示制御装置。
【請求項９】
前記所定のアイテムは、前記第３の画像の表示をキャンセルすることを示すアイテムであることを特徴とする請求項３または４に記載の表示制御装置。
【請求項１０】
前記制御手段は、前記所定のアイテムとともに、前記第３の画像から前記第１の画像へと前記表示部に表示する画像を切り替えることを示すガイダンスを表示するように制御することを特徴とする請求項３または４に記載の表示制御装置。
【請求項１１】
前記制御手段は、前記第３の画像が表示された状態において、前記第３の画像を表示させる要因となった前記第１の位置から開始されて前記第２の量移動した前記入力操作が解除されることなく、前記入力操作によって所定の条件を満たす位置入力がされた場合に前記表示部に前記所定のアイテムを表示し、前記所定の条件を満たす位置入力がされなかった場合には前記所定の操作が行われても前記所定のアイテムを表示しないように制御することを特徴とする請求項３または４に記載の表示制御装置。
【請求項１２】
前記所定の条件は、前記入力操作による前記第１の位置を通過する移動が２回以上であることを特徴とする請求項１１に記載の表示制御装置。
【請求項１３】
前記所定の条件は、前記第１の位置から所定の範囲内へと前記入力操作による入力位置が移動され、前記所定の範囲内で前記入力操作が解除されることであることを特徴とする請求項１１に記載の表示制御装置。
【請求項１４】
前記所定の条件は、前記第３の画像が表示された状態で所定時間にわたって前記入力操作によって同じ位置への位置入力が継続された後に、入力位置を移動することなく入力操作が解除されることであることを特徴とする請求項１１に記載の表示制御装置。
【請求項１５】
前記所定の条件は、前記第３の画像が表示された際の入力位置から、前記第１の位置の方向へと素早く入力位置が移動されて入力操作が解除されることであることを特徴とする請求項１１に記載の表示制御装置。
【請求項１６】
前記所定の条件は、前記第３の画像が表示された際の入力位置から、前記第１の方向と垂直な方向にある領域へ入力位置が移動された後に前記入力操作が解除されることであることを特徴とする請求項１１に記載の表示制御装置。
【請求項１７】
前記検出手段は、前記入力操作としてタッチパネルへのタッチ操作を検出することを特徴とする請求項１乃至４のいずれか１項に記載の表示制御装置。
【請求項１８】
前記制御手段による画像の切り替えの要因となる入力操作の入力位置の移動が開始された際に、前記表示部に表示されている画像を示す情報を記録する記録手段をさらに有し、
前記制御手段は、前記画像を示す情報を少なくとも該入力操作が解除されるまでは保持するように制御することを特徴とする請求項１乃至４のいずれか１項に記載の表示制御装置。
【請求項１９】
前記制御手段は、前記第１の画像が前記表示部に表示されている場合に、前記第１の方向に沿った前記第１の位置を含む第１の領域とは異なる第２の領域において前記入力操作による位置入力が開始された場合には、入力位置の移動があったことに応じて、移動量に関わらず１つ前または１つ先の画像へと切り替える制御を行い、該入力操作による位置入力が前記第１の方向へ第２の量移動された場合にも、前記表示部に表示する画像を前記第１の画像から前記第１の画像の隣の画像へと切り替えるように制御することを特徴とする請求項３または４に記載の表示制御装置。
【請求項２０】
位置の入力操作を検出する検出ステップと、
前記検出ステップで検出される前記入力操作による入力位置の移動量に応じて表示部に表示する画像を切り替えるように制御する制御ステップであって、
第１の画像が前記表示部に表示されている場合に、入力操作による位置入力が第１の位置から開始され、該入力操作による位置入力が第１の方向に第１の量移動された場合は、前記表示部に表示する画像を第２の画像に切り替え、
前記第１の画像が前記表示部に表示されている場合に、入力操作による位置入力が前記第１の位置から開始され、該入力操作による入力位置が前記第１の方向に前記第１の量よりも大きい第２の量移動された場合は、前記表示部に表示する画像を前記第２の画像よりも先の第３の画像に切り替え、
前記第３の画像が表示された状態から、前記第３の画像を表示させる要因となった前記第１の位置から開始されて前記第２の量移動した前記入力操作が解除されることなく前記第１の位置へと入力位置が移動されたことに応じて、前記表示部に表示する画像を前記第１の画像に切り替え、
前記第３の画像が表示された状態から、前記第３の画像に切り替える要因となった前記第１の位置から開始されて前記第２の量移動した前記入力操作が解除されることなく、前記入力操作により所定の条件を満たす位置入力がされた場合には、前記第１の位置から前記第１の量の範囲の外で前記入力操作が解除されても、前記表示部に表示する画像を前記第１の画像に切り替えるように制御する制御ステップと
を有することを特徴とする表示制御装置の制御方法。
【請求項２１】
位置の入力操作を検出する検出ステップと、
前記検出ステップで検出される前記入力操作による入力位置の移動量に応じて、表示部に表示する画像を、移動量が増えるほど大きく離れた順の画像に切り替えるように制御する制御ステップであって、
第１の画像が前記表示部に表示されている場合に、入力操作による位置入力が第１の位置から開始され、該入力操作による入力位置が最小切替単位の画像切り替えを行うために必要な移動量よりも大きい第２の量移動された場合は、前記表示部に表示する画像を前記第１の画像から前記第２の量に応じた、最小切替単位よりも先の第３の画像に切り替え、
前記第３の画像が表示された状態から、前記第３の画像を表示させる要因となった前記第１の位置から開始されて前記第２の量移動した前記入力操作が解除されることなく前記第１の位置へと入力位置が移動されたことに応じて前記表示部に表示する画像を前記第１の画像に切り替え、
前記第３の画像に切り替えられた状態から、前記第３の画像に切り替える要因となった前記第１の位置から開始されて前記第２の量移動した前記入力操作が解除されることなく、前記入力操作により所定の条件を満たす位置入力がされた場合は、前記第１の位置から最小切替単位の画像切り替えを行うために必要な移動量の範囲の外で前記入力操作が解除されても、前記表示部に表示する画像を前記第１の画像に切り替えるように制御する制御ステップと
を有することを特徴とする表示制御装置の制御方法。
【請求項２２】
位置の入力操作を検出する検出ステップと、
前記検出ステップで検出される入力操作による入力位置の移動量に応じて表示部に表示する画像を切り替えるように制御する制御ステップであって、
第１の画像が前記表示部に表示されている場合に、入力操作による位置入力が第１の位置から開始され、該入力操作による入力位置が第１の方向に第１の量移動された場合は、前記表示部に表示する画像を第２の画像に切り替え、
前記第１の画像が前記表示部に表示されている場合に、入力操作による位置入力が前記第１の位置から開始され、該入力操作による入力位置が前記第１の方向に前記第１の量よりも大きい第２の量移動された場合は、前記表示部に表示する画像を前記第２の画像よりも先の第３の画像に切り替え、
前記第３の画像が表示された状態において、前記第３の画像を表示させる要因となった前記第１の位置から開始された前記入力操作による所定の操作に応じて、前記表示部に所定のアイテムを表示し、
前記第３の画像と前記所定のアイテムが表示された状態において、前記所定のアイテムが選択されたことに応じて、前記表示部に表示する画像を前記第３の画像から前記第１の画像へと切り替えるように制御する制御ステップと
を有することを特徴とする表示制御装置の制御方法。
【請求項２３】
位置の入力操作を検出する検出ステップと、
前記検出ステップで検出される入力操作による入力位置の移動量に応じて、表示部に表示する画像を、移動量が増えるほど大きく離れた順の画像に切り替えるように制御する制御ステップであって、
第１の画像が前記表示部に表示されている場合に、入力操作による位置入力が第１の位置から開始され、該入力操作による入力位置が、第１の方向に、最小切替単位の画像切り替えを行うために必要な移動量よりも大きい第２の量移動された場合は、前記表示部に表示する画像を前記第１の画像から前記第２の量に応じた、最小切替単位よりも先の第３の画像に切り替え、
前記第３の画像が表示された状態において、前記第３の画像を表示させる要因となった前記第１の位置から開始された前記入力操作による所定の操作に応じて、前記表示部に所定のアイテムを表示し、
前記第３の画像と前記所定のアイテムが表示された状態において、前記所定のアイテムが選択されたことに応じて、前記表示部に表示する画像を前記第３の画像から前記第１の画像へと切り替えるように制御する制御ステップと
を有することを特徴とする表示制御装置の制御方法。
【請求項２４】
コンピュータを、請求項１乃至１９のいずれか１項に記載の表示制御装置の各手段として機能させるためのプログラム。
【請求項２５】
請求項２０乃至２３のいずれか１項に記載された方法を実行するプログラムを格納したコンピュータが読み取り可能な記憶媒体。
【手続補正３】
【補正対象書類名】明細書
【補正対象項目名】０００１
【補正方法】変更
【補正の内容】
【０００１】
本発明は、表示制御装置及びその制御方法に関し、操作面に対する位置を入力する操作により表示部に表示する画像を切り替える際の表示制御装置及びその制御方法に関する。
【手続補正４】
【補正対象書類名】明細書
【補正対象項目名】０００６
【補正方法】変更
【補正の内容】
【０００６】
上記目的を達成するために、本発明の表示制御装置は、位置の入力操作を検出する検出手段と、前記検出手段で検出される入力操作による入力位置の移動量に応じて表示部に表示する画像を切り替えるように制御する制御手段であって、第１の画像が前記表示部に表示されている場合に、入力操作による位置入力が第１の位置から開始され、該入力操作による入力位置が第１の方向に第１の量移動された場合は、前記表示部に表示する画像を第２の画像に切り替え、前記第１の画像が前記表示部に表示されている場合に、入力操作による位置入力が前記第１の位置から開始され、該入力操作による入力位置が前記第１の方向に前記第１の量よりも大きい第２の量移動された場合は、前記表示部に表示する画像を前記第２の画像よりも先の第３の画像に切り替え、前記第３の画像が表示された状態から、前記第３の画像を表示させる要因となった前記第１の位置から開始されて前記第２の量移動した前記入力操作が解除されることなく前記第１の位置へと入力位置が移動されたことに応じて、前記表示部に表示する画像を前記第１の画像に切り替え、前記第３の画像に切り替えられた状態から、前記第３の画像に切り替える要因となった前記第１の位置から開始されて前記第２の量移動した前記入力操作が解除されることなく、前記入力操作により所定の条件を満たす位置入力がされた場合には、前記第１の位置から前記第１の量の範囲の外で前記入力操作が解除されても、前記表示部に表示する画像を前記第１の画像に切り替えるように制御する制御手段とを有することを特徴とする。